(57)【要約】【課題】ユーザの希望に応じた最小限の回路機能を実現できる携帯端末、携帯端末を使用した通信システムおよび通信方法を得る。【解決手段】携帯電話機１００は、通話と電子メールによる通信のみ可能な携帯電話機本体１３１と、これに嵌合部１０５によって交換自在に装着される着せ替えパネル１０４Ａ等の各種の着せ替えパネルから構成されている。図示の着せ替えパネル１０４Ａは着信機能を充実させるためのもので、背面液晶ディスプレイ１２１と着信ＬＥＤ１２２〜１２５が着信の通知を充実させる。他の着せ替えパネルと交換することで、認証機能を充実させたり、テレビジョンを受信する等の機能を充実させることができる。これら着せ替えパネルへは携帯電話機本体の電池１１７から電源が供給される。【選択図】図３
2007088735.tif 000002
【特許請求の範囲】
【請求項１】
着脱自在に装着される装置との間で無線通信を行う本体側無線通信手段と、電源とを備えた装置本体と、
この装置本体に着脱自在に配置され、前記本体側無線通信手段と通信を行う付加装置側無線通信手段と、前記装置本体に装着されている状態で前記電源から給電を受ける給電手段と、この給電手段による電源の供給を受けて前記装置本体と前記付加装置側無線通信手段および本体側無線通信手段を介して通信を行うことで付加的な回路動作を行う付加回路手段とを備えた外装パネル
とを具備することを特徴とする携帯端末。
【請求項２】
前記外装パネルの１つは着信機能に特化したパネルであることを特徴とする請求項１記載の携帯端末。
【請求項３】
前記外装パネルの１つはセキュリティ機能に特化したパネルであることを特徴とする請求項１記載の携帯端末。
【請求項４】
前記付加装置側無線通信手段および本体側無線通信手段はブルーツースを使用していることを特徴とする請求項１記載の携帯端末。
【請求項５】
無線通信を行う無線手段と、被写体を撮影する撮影手段と、この撮影手段の撮影した画像データを前記無線手段を用いてインターネット上の特定の宛先に送信する画像データ送信手段とを備えた携帯端末と、
インターネット上に配置され、前記画像データ送信手段の送信した画像データを受信して前記携帯端末ごとに用意された領域に蓄積する画像データ蓄積手段と、正当な権限を有する者から特定の携帯端末を指定して画像データの閲覧の要求があったとき画像データ蓄積手段に蓄積された該当する画像データを閲覧させる閲覧提供手段
とを具備することを特徴とする通信システム。
【請求項６】
セキュリティ上で必要な予め定めたタイミングで前記撮影手段に撮影を実行させる撮影実行手段を具備することを特徴とする請求項５記載の通信システム。
【請求項７】
携帯端末を使用して通信ネットワークで決済または認証を行うとき付属の撮影手段で携帯端末の操作者の方向を撮影する撮影ステップと、
この撮影ステップで撮影された画像データを前記通信ネットワークを介して特定の画像データ蓄積手段に送信する画像データ送信ステップと、
前記携帯端末の正当な利用者から画像データの閲覧の要求があったとき前記画像データ蓄積手段に蓄積された該当する画像データを閲覧させる閲覧ステップ
とを具備することを特徴とする通信方法。
【発明の詳細な説明】
【技術分野】
【０００１】
本発明は、携帯電話機等の携帯型の通信端末である携帯端末、携帯端末を使用した通信システムおよび通信方法に係わり、特に外装パネルを着脱自在とした携帯端末、携帯端末を使用した通信システムおよび通信方法に関する。
【背景技術】
【０００２】
携帯電話機、ＰＤＡ（Personal Digital Assistant）、ＰＨＳ（Personal Handy-phone System）あるいは持ち運び可能なパーソナルコンピュータ等の携帯可能な携帯端末が、各所に気軽に携行できる通信端末として広く使用されている。このような携帯端末は、その性格上、各人が個別に所持する可能性が高いため、形状や色等のデザインに多様性が求められている。また、各人の要求する機能も多様性がある。たとえば、携帯電話機に本来の電話機としての機能を主として求める者もあれば、テレビジョンやインターネットから取得した動画までも大いに活用しようとする者もある。
【０００３】
そこで、これら多様な要求に対応する１つの解決策として、携帯端末の一部の部品を交換自在とすることで、その全体のデザインや機能に多様性を持たせることが第１の提案として提案されている（たとえば特許文献１参照）。この第１の提案では、装置本体に外装パネルを着脱自在に装着する携帯端末で、この外装パネルにパネル識別情報を保持させている。装置本体側には各種機能と対応付けたテーブルを用意しており、外装パネルの装着時にパネル識別情報と対応付けられた機能が実現するような設定を行っている。
【０００４】
この第１の提案によれば、ユーザが外装パネルを選択すると、それに応じた機能の携帯端末が実現される。しかしながら、この提案の外装パネルは本来のパネルに近い構造であり、パネルの種類を特定させるための抵抗素子や押しボタンスイッチの組み合わせといったパネル識別情報のみを配置している。このため、このような携帯端末を実現するためには、各種の外装パネルを装着したときに実現する機能のすべてを装置本体側に用意しておき、装着する外装パネルによってこれらの機能を制限する構成となっている。このため、たとえば簡易な機能を実現する外装パネルを使用するユーザにとっては、本来使用しない機能を実現する回路装置にまで商品の購入代金を支払っていることになり、不経済である。特に最近では前記したように携帯電話機にシンプルな機能を求めるユーザも多数存在し、これらのユーザに機能に応じたリーズナブルな価格の商品を提供することも重要である。
【０００５】
一方、独立して動作する外部装置に携帯端末の回路の一部を配置することで、装置本体に無駄な回路装置を搭載しないようにして装置本体側の小型化と軽量化を図った第２の提案が行われている（たとえば特許文献２参照）。この提案では、外部装置に高速処理可能なＣＰＵ（中央処理装置）を配置して、マルチメディア処理等の負荷の大きな処理を必要とするときに携帯端末と近距離無線機能を使用してデータ通信を行わせるようにしている。したがって、携帯端末側は本来の電話や電子メールの送受信といった基本的な機能を備えるだけでよく、複雑な処理が不要なときには外部装置を携行する必要がないので、携帯端末自体の軽量化を図ることができることになる。
【特許文献１】特開２００４−２２１８６０号公報（第００３３〜第００３５段落、図６）
【特許文献２】特開２００４−１７９９６６号公報（第０００８、第００１２段落、図１、図２）
【発明の開示】
【発明が解決しようとする課題】
【０００６】
しかしながら、この第２の提案で携帯端末と外部装置は回路的に完全に独立した構成となっており、電源も独立して設けられている。このため、外部装置を機能させるときには携帯端末と外部装置の双方の電池の残量があることが必要となり、電池の管理が煩雑になるという問題が生じる。また、外部装置は独立して取り扱われる装置であるために外部パネル等の装置内部を保護する部品が必要となる。したがって、携帯端末と外部装置を同時に持ち運ぶ場合には、全体のサイズや重量が大幅に増加するという問題が発生する。更に、両者は一体化された装置となっていないため、外部装置をオフィスや家庭に忘れてくる場合があり、その場合には携帯端末に複雑な機能を実現させることができない。
【０００７】
そこで本発明の目的は、ユーザの希望に応じた最小限の回路機能を実現できる携帯端末、携帯端末を使用した通信システムおよび通信方法を提供することにある。
【０００８】
本発明の他の目的は、セキュリティ機能の充実を図った携帯端末、通信システムおよび通信方法を提供することにある。
【課題を解決するための手段】
【０００９】
本発明では、（イ）着脱自在に装着される装置との間で無線通信を行う本体側無線通信手段と、電源とを備えた装置本体と、（ロ）この装置本体に着脱自在に配置され、本体側無線通信手段と通信を行う付加装置側無線通信手段と、装置本体に装着されている状態で電源から給電を受ける給電手段と、この給電手段による電源の供給を受けて装置本体と付加装置側無線通信手段および本体側無線通信手段を介して通信を行うことで付加的な回路動作を行う付加回路手段とを備えた外装パネルとを携帯端末に具備させる。
【００１０】
すなわち本発明では、装置本体に携帯端末としての必要最小限の回路機能を備えさせ、それぞれ付加的な回路機能を備える複数の外装パネルの中から必要な１つの外装パネルを選択して装着することで、ユーザの必要としない無駄な機能を極力省いた携帯端末を実現させている。この際に、電源は装置本体から供給することで、外装パネルに電源を設けることの無駄や電源の管理の煩雑さを解消している。また、装置本体と外装パネルの間のデータは無線通信で交換するようにしている。
【００１１】
また、本発明では、（イ）無線通信を行う無線手段と、被写体を撮影する撮影手段と、この撮影手段の撮影した画像データを無線手段を用いてインターネット上の特定の宛先に送信する画像データ送信手段とを備えた携帯端末と、（ロ）インターネット上に配置され、画像データ送信手段の送信した画像データを受信して携帯端末ごとに用意された領域に蓄積する画像データ蓄積手段と、正当な権限を有する者から特定の携帯端末を指定して画像データの閲覧の要求があったとき画像データ蓄積手段に蓄積された該当する画像データを閲覧させる閲覧提供手段とを通信システムに具備させる。
【００１２】
すなわち本発明では、インターネットに接続して通信を行う携帯端末の多くが被写体を撮影する撮影手段を備えていることに着目して、撮影が行われるとその度等の所定のタイミングでこれらの画像データをインターネット上の画像データ蓄積手段に蓄積させることにしている。そして、正当な権限を有する者（通常は携帯端末のユーザ）が必要に応じてこれを閲覧できるようにしている。画像データをダウンロードしてもよい。これにより、たとえばセキュリティ機能を強化した外装パネルを装着した携帯電話機が認証を行うような場合、その画像が画像データ蓄積手段に蓄積されるので、なりすましを行う者があればその証拠の画像を得ることができる。
【００１３】
更にまた、本発明では、（イ）携帯端末を使用して通信ネットワークで決済または認証を行うとき付属の撮影手段で携帯端末の操作者の方向を撮影する撮影ステップと、（ロ）この撮影ステップで撮影された画像データを通信ネットワークを介して特定の画像データ蓄積手段に送信する画像データ送信ステップと、（ハ）携帯端末の正当な利用者から画像データの閲覧の要求があったとき画像データ蓄積手段に蓄積された該当する画像データを閲覧させる閲覧ステップとを通信方法に具備させる。
【００１４】
すなわち本発明では、通信ネットワークで決済または認証を行うとき付属の撮影手段で携帯端末の操作者の方向を撮影することにし、その画像データを通信ネットワーク上の特定の画像データ蓄積手段に格納することにしているので、ユーザになりすましたり、第三者が携帯端末を不正に使用した場合の証拠として利用することができ、結果的にセキュリティを高めることができる。
【発明の効果】
【００１５】
以上説明したように本発明によれば、携帯端末をユーザの希望の回路機能を備えながら無駄な回路機能を極力排除することができるので、リーズナブルな価格で使いやすい携帯端末とすることができる。また、カメラ機能（撮影手段）を備えた携帯端末では、セキュリティを高めたいときに撮影手段が撮影を行い、携帯端末外の場所にこれを蓄積するようにしたので、第三者の不正使用の実態を記録に残し、結果的にセキュリティを高めることができる。
【発明を実施するための最良の形態】
【００１６】
以下実施例につき本発明を詳細に説明する。
【実施例１】
【００１７】
図１は、本発明の一実施例における携帯端末としての折畳型の携帯電話機を側面から見たものである。この携帯電話機１００は、折り畳んだ状態で通常の場合に上側に位置する第１の筐体１０１と、下側に位置する第２の筐体１０２およびこれらの筐体１０１、１０２を開閉自在に連結するヒンジ機構１０３から構成されている。第１の筐体１０１の折り畳まれる側の面と反対側、すなわちこの図で上側には着せ替えパネル１０４Ａが着脱自在に配置されている。着せ替えパネルとは、予め用意した互いに同一形状でそれぞれデザインあるいは機能の異なった外装パネルであって、そのうちの１つを第１の筐体１０１の嵌合部１０５に着脱自在に嵌合させることで、携帯電話機１００のユーザが所望のデザインあるいは機能を選択できるようにしたものである。
【００１８】
第１の筐体１０１に取り付けられる着せ替えパネル１０４Ａには、携帯電話機１００の回路の一部が追加回路として組み込まれており、その中には第２の筐体１０２と通信をするための第１のブルーツース（Bluetooth）モジュール１０７が含まれている。第２の筐体１０２の内部には、第１のブルーツースモジュール１０７と通信を行う第２のブルーツースモジュール１０８が配置されている。ここで第１および第２のブルーツースモジュール１０７、１０８は、たとえば２．４５ＧＨｚ帯の電波を利用して数メガビットの伝送速度で互いに通信を行うようになっている。ブルーツースによる通信は、赤外線通信と比較すると、消費電力が小さく、障害物に強いという特徴がある。そこで、本実施例では第２の筐体１０２と着せ替えパネル１０４Ａとの通信にブルーツースを使用することにしている。
【００１９】
嵌合部１０５は、着せ替えパネル１０４Ａ側の凸部部材１１１の先端部分と、第１の筐体１０１側の凹部１１２を着脱自在に取り付ける部分である。凸部部材１１１には、その外周部分に１対の電極１１３、１１４が配置されており、凹部１１２のそれぞれ対応する箇所にも電極１１５、１１６がこれらと摺接自在に配置されている。電極１１３〜１１６によって第２の筐体１０２側に配置された電池１１７から着せ替えパネル１０４Ａ側に電源が供給されるようになっている。
【００２０】
このように本実施例の携帯電話機１００は、着せ替えパネル１０４Ａへの電源の供給に嵌合部１０５の電極１１３〜１１６の接触を利用している。また、携帯電話機１００の本体側と着せ替えパネル１０４Ａの間のデータ通信は、第１および第２のブルーツースモジュール１０７、１０８を用いて行うようにしている。データ通信を無線で行うようにしたのは、比較的小型の嵌合部１０５に電源供給用の電極１１３〜１１６の他に、更に複数系統のデータ通信用の電極あるいは端子を配置することが物理的に困難な場合が多いことに基づく。すなわち、嵌合部１０５に配置する電極や端子の数が多くなると、電極あるいは端子同士の接触面積が小さくなって、接触不良によってデータ通信や電源の供給にエラーが発生する可能性が高くなるからである。
【００２１】
図２は、着信機能を重視する着せ替えパネルを装着した第１の筐体を上から見たものである。第１の筐体１０１の表面部分に重なるように取り付けられた着せ替えパネル１０４Ａは、その中央部に背面液晶ディスプレイ１２１を組み込んでいる。また、この背面液晶ディスプレイ１２１よりもヒンジ機構１０３から遠ざかった箇所には、着信をユーザに視覚的に知らせるための着信ＬＥＤ（発光ダイオード）１２２〜１２５が一列に取り付けられている。着せ替えパネル１０４Ａにおける背面液晶ディスプレイ１２１から見て着信ＬＥＤ１２２〜１２５が取り付けられた側と反対側の内部には、第１のブルーツースモジュール１０７が配置されている。第１のブルーツースモジュール１０７のすぐ傍には、不揮発性メモリ（ＮＶＭ）１２６Ａが配置されている。不揮発性メモリ１２６Ａには、着せ替えパネル１０４Ａに対応したパネルＩＤ（Identification）が格納されている。セキュリティ上で問題がなければ、不揮発性メモリ１２６Ａの代わりにディップスイッチが使用されていてもよい。このように本実施例の着せ替えパネル１０４Ａは、着信を表示したり、背面液晶ディスプレイ１２１に所定の情報を表示するための機能を備えている。なお、この不揮発性メモリ１２６Ａには、パネルＩＤの他に、待ち受け画面あるいは着信画面として背面液晶ディスプレイ１２１に表示する画像がある場合には、これらの画像データも格納するようになっている。
【００２２】
図３は、図２に示した着せ替えパネルを装着した携帯電話機とネットワークの接続の様子を表わしたものである。携帯電話機１００は、図１および図２で説明した着せ替えパネル１０４Ａの回路部分と、携帯電話機本体１３１の回路部分に分かれる。ここで携帯電話機本体１３１の回路部分とは、第２の筐体１０２に配置された回路部分と、第１の筐体１０１における着せ替えパネル１０４Ａ以外の部分における回路部分を加えたものである。携帯電話機本体１３１の回路部分で第１の筐体１０１と第２の筐体１０２にまたがる配線部分は、ヒンジ機構１０３を介して、有線で接続されている。
【００２３】
携帯電話機本体１３１は、各種制御を行うための制御部１４１を備えている。制御部１４１は、図示しないＣＰＵ（中央処理装置）を備えている。制御部１４１は、各種の制御プログラムや作業用の一時的なデータを格納するメモリ１４２と接続される他、インターネットや携帯電話網といったネットワーク１４３とアンテナ１４４を介して接続するための無線部１４５とも接続されている。また制御部１４１は、第２のブルーツースモジュール１０８やメインディスプレイ１４６および音源回路１４７とも接続されている。更に、図示しない音入出力回路を経て、マイクロフォン１５１やレシーバ１５２とも接続されている。音源回路１４７は、スピーカ１５３を接続しており、ここから着信メロディを出力するようになっている。この他に音声出力用の回路を備えて、定型的な文章を用いたアナウンスを出力するようにしてもよい。
【００２４】
ここで、メインディスプレイ１４６は第１の筐体１０１における着せ替えパネル１０４Ａの装着される側と反対の面を構成する比較的大きなディスプレイであり、液晶あるいは有機ＬＥＤ（Light Emitting Diode）によって構成されている。メインディスプレイ１４６には、電話番号の他に、メールや電話帳の内容が表示されることになる。これに対して背面液晶ディスプレイ１２１には、装着した着せ替えパネル１０４Ａの特徴に合った情報が表示されることになる。図２に示した着せ替えパネル１０４Ａの例では着信時の機能の充実が図られている。したがって、たとえば背面液晶ディスプレイ１２１には、ユーザの設定によって発信者の氏名や電話番号あるいは着信したメールの発信者の氏名やタイトルが表示されるだけでなく、たとえば電話帳に予め登録されている発信者の顔写真や発信者を表わした動画の再生も可能になっている。
【００２５】
第２のブルーツースモジュール１０８に接続されたアンテナ１５５は、着せ替えパネル１０４Ａ内の第１のブルーツースモジュール１０７に接続されたアンテナ１５６との間で電波の送受信を行うようになっている。着せ替えパネル１０４Ａ内の背面液晶ディスプレイ１２１および着信ＬＥＤ１２２〜１２５は、携帯電話機本体１３１に格納された電池１１７から嵌合部１０５を介して電源の供給を受けるようになっている。この電池１１７は、携帯電話機本体１３１内の各部にも電源を供給していることはもちろんである。第１のブルーツースモジュール１０７には不揮発性メモリ（ＮＶＭ）１２６Ａが接続されている。
【００２６】
図４は、メモリの配置構造を表わしたものである。メモリ１４２は、基本制御プログラム格納領域１６１と、付加制御プログラム格納領域１６２および作業領域１６３によって構成されている。ここで基本制御プログラム格納領域１６１は、この携帯電話機１００の制御に最低限必要な基本制御プログラムを格納する領域である。工場の出荷時に基本制御プログラムが格納されるようになっている。ユーザは必要に応じて基本制御プログラムの最新版をネットワーク１４３（図３）から取得することができる。ただし、本実施例の場合、着せ替えパネル１０４Ａ側にユーザの必要とする各種の付加機能を追加できるので、基本制御プログラムは携帯電話機としての基本的な機能を実現する制御プログラムに限定されている。具体的には、通話と電子メールやアドレス帳の作成・編集や、電子メールの送受信に関連する制御プログラムが基本制御プログラムとして格納されている。
【００２７】
付加制御プログラム格納領域１６２は、図１および図２に示した着せ替えパネル１０４Ａに対応する付加制御プログラムが格納される領域である。工場の出荷時には、出荷時に第１の筐体１０１に装着された着せ替えパネル１０４Ａに対応する付加制御プログラムが格納されている。着せ替えパネル１０４Ａを新たに交換する場合、これに対応する付加制御プログラムはネットワーク１４３からダウンロードして付加制御プログラム格納領域１６２に格納するようになっている。
【００２８】
付加制御プログラム格納領域１６２は、複数の着せ替えパネル１０４に対応させて付加制御プログラムを複数通り格納することができるようにその容量に若干の余裕が設けてある。また、メモリ１４２の一部を構成する交換可能な半導体メモリの容量をユーザ側が増大させることで付加制御プログラム格納領域１６２の容量を更に増加させることができる。これは、ユーザが幾つかの着せ替えパネル１０４を交換しながら使用する場合を想定したもので、そのたびにネットワーク１４３から付加制御プログラムをダウンロードする手間を省くためである。もちろん、容量を超える付加制御プログラムを格納することはできず、その際には使用頻度の低い、あるいは使用予定のない付加制御プログラムを消去して、新たな付加制御プログラムのダウンロードを行うことになる。作業領域１６３は、図３に示した制御部１４１が各種の制御を行う際に必要とする一時的なデータを格納する領域である。
【００２９】
図５は、図２に示した着せ替えパネルの断面構造を表わしたものである。ここでは、図２に示した着せ替えパネル１０４Ａの着信ＬＥＤ１２３の存在する箇所をＡ−Ａ方向に切断した状態を表わしている。着せ替えパネル１０４Ａは、フレキシブル基板１７０の裏面に凸部部材１１１を形成している。凸部部材１１１の周囲の２箇所には１対の電極１１３、１１４が形成されており、フレキシブル基板１７０の図示しない電源ラインにそれぞれ半田付けされている。フレキシブル基板１７０の表側には、着信ＬＥＤ１２３、背面液晶ディスプレイ１２１、その駆動を行うための液晶ドライバ１７２、第１のブルーツースモジュール１０７およびそのアンテナ１５６が配置されている。
【００３０】
フレキシブル基板１７０に取り付けられたこれらの部品１２３、１２１、１７２、１０７、１５６（この図に示していない不揮発性メモリ１２６Ａを含む）は、樹脂１７４内に埋設されるように一体的にモールドされている。ただし、着信ＬＥＤ１２３（この図に示していない他の着信ＬＥＤ１２２、１２４、１２５を含む）および背面液晶ディスプレイ１２１の上面はモールドされた面から突出している。
【００３１】
着せ替えパネル１０４Ａはモールドされた側の面を表面として図１に示した第１の筐体１０１の一部として携帯電話機１００に取り付けられることになる。なお、本実施例でフレキシブル基板１７０を使用したのは着せ替えパネル１０４Ａの厚さを薄くするためであり、通常のプリント基板を使用してもよいことはもちろんである。
【００３２】
本実施例の携帯電話機１００は、ユーザが用途やデザインの好みに応じて着せ替えパネル１０４Ａを他の着せ替えパネルに交換することができる。
【００３３】
図６は、図２に対応するもので、着信機能を重視する他の着せ替えパネルを装着した第１の筐体を示したものである。この図６で図２と同一部分には同一の符号を付しており、これらの説明を適宜省略する。図６に示した着せ替えパネル１０４Ｂは、着せ替えパネル１０４Ａと比較すると、背面液晶ディスプレイ１２１の位置がヒンジ機構１０３側に多少寄っており、着信ＬＥＤ１２２〜１２５が背面液晶ディスプレイ１２１の上下に２個ずつ分散して配置されている。第１のブルーツースモジュール１０７は、着せ替えパネル１０４Ａにおける着信ＬＥＤ１２２〜１２５が配置されていた箇所に移動している。第１のブルーツースモジュール１０７の傍には、着せ替えパネル１０４ＢのパネルＩＤを格納した不揮発性メモリ１２６Ｂが配置されている。
【００３４】
このように着せ替えパネル１０４Ｂは、そのデザインが着せ替えパネル１０４Ａと異なっても、不揮発性メモリ１２６Ｂを除いて部品の構成は着せ替えパネル１０４Ａと同一である。そこで、その携帯電話機１００としての回路構成は図３に示した着せ替えパネル１０４Ａを携帯電話機本体１３１に使用した場合と同一である。そこで、着せ替えパネル１０４Ｂを装着した場合の携帯電話機１００の図示およびその説明は省略する。
【００３５】
図７は、同じく図２に対応するもので、セキュリティ機能および電子マネーの活用を重視した着せ替えパネルを装着した第１の筐体を示したものである。この図７で図２と同一部分には同一の符号を付しており、これらの説明を適宜省略する。図７に示した着せ替えパネル１０４Ｃは、モジュール化された指紋認証部１８１と、カメラ部１８２、撮影範囲確認ミラー１８３、リセット・スタートキー１８４およびＲＦＩＤ（Radio Frequency IDentification）部１８５を新たに備えている。第１のブルーツースモジュール１０７の傍には、着せ替えパネル１０４ＣのパネルＩＤを格納した不揮発性メモリ１２６Ｃが配置されている。着信ＬＥＤ１２２、１２３は着信時の表示だけでなく、指紋認証の可否をそれぞれ表示する緑色および赤色の発光ダイオードとなっている。背面液晶ディスプレイ１２１には、通常の背面液晶ディスプレイで表示される内容だけでなく、認証手順の案内や認証結果が表示されるようになっている。
【００３６】
この着せ替えパネル１０４Ｃは、指紋認証部１８１に指先を安定して保持させる必要からパネルの厚さが図２および図６に示した着せ替えパネル１０４Ａ、１０４Ｂよりも若干厚くなっている。このため、第１のブルーツースモジュール１０７は、着信ＬＥＤ１２２、１２３およびリセット・スタートキー１８４と同一領域にパネルの厚さ方向の位置を変えて配置されている。カメラ部１８２はユーザ側の設定によって認証を行っている時点の操作者を撮影できるようになっており、その画像および撮影の日時ならびに携帯電話機１００の操作情報の一部を図３に示したネットワーク１４３上の所定のサーバに格納できるようになっている。これにより、携帯電話機１００が盗難あるいは第三者の不正使用にあったような場合に犯人の手がかりをつかむことができ、結果的に携帯電話機のこれらの被害を防止することができる。これについては後に説明する。
【００３７】
ＲＦＩＤ部１８５は、図示しないがデータ格納用の不揮発性メモリと受信した電波によって電力を発生させてその電波の受信先と無線通信を行うＩＣ（Integrated Circuit）回路によって構成されている。そして、不揮発性メモリに事前に電子的に入金処理を行っておくことで、現金を使用することなく各種の支払いを行うことができる。たとえば特定の自動販売機に着せ替えパネル１０４Ｃを装着した携帯電話機１００を近づけるだけで、事前に不揮発性メモリに入金した範囲内で商品を受け取ることができる。したがって、携帯電話機１００を財布代わりに使用することができる。
【００３８】
このため、ユーザに成りすまして第三者が他人の携帯電話機１００を商品やサービスの対価として支払いに使用する危険性がある。そこで、着せ替えパネル１０４Ｃが装着された携帯電話機１００を第三者が勝手に使用できないように前記したセキュリティ機能が備えられている。本実施例の携帯電話機１００は携帯電話機本体１３１内の電池１１７から着せ替えパネル１０４Ｃ内の回路部分の給電が行われるようになっている。このため、たとえば第三者が着せ替えパネル１０４Ｃを携帯電話機本体１３１から外して単独で使用しようとしてもセキュリティ機能が非動作状態でロックされた状態にある。このセキュリティ機能が非動作状態のとき、ＲＦＩＤ部１８５は安全性をチェックできない状況なので非作動状態となるようにシステムが組まれている。したがって、着せ替えパネル１０４Ｃの単独使用による第三者の不正使用の防止が図られている。もちろん、着せ替えパネル１０４Ｃを携帯電話機本体１３１に取り付けた状態では、電池１１７から着せ替えパネル１０４Ｃに電源の供給は行われるが、セキュリティのチェックによって第三者の不正使用の防止が図られることになる。
【００３９】
なお、生体認証は、指紋認証部１８１による指紋認証に限られるものではなく、カメラ部１８２を使用した顔認証あるいは目の虹彩による認証、手の甲の静脈パターンによる認証、マイクロフォンを使用した声紋の認証等各種のものが可能である。着せ替えパネル１０４をこれら認証技術のそれぞれに特化させることで、用途にあったセキュリティを確保することができる。また、生体認証に従来から使用されている暗証番号を組み合わせてセキュリティを更に高めることも可能である。
【００４０】
図８は、図３に対応するもので、図７に示した着せ替えパネルを装着した携帯電話機とネットワークの接続の様子を表わしたものである。携帯電話機１００は、着せ替えパネル１０４Ｃの回路部分と、携帯電話機本体１３１の回路部分に分かれる。携帯電話機本体１３１の回路部分は、図３と同一であり、その説明を省略する。
【００４１】
着せ替えパネル１０４Ｃの回路部分については、第１のブルーツースモジュール１０７が不揮発性メモリ１２６Ｃ、アンテナ１５６、指紋認証部１８１、カメラ部１８２、リセット・スタートキー１８４およびＲＦＩＤ部１８５を接続した構成となっている。電池１１７から嵌合部１０５を経て第１のブルーツースモジュール１０７に電源が供給され、ここから指紋認証部１８１、カメラ部１８２およびＲＦＩＤ部１８５に電源が供給されることになる。
【００４２】
図９は、テレビジョン機能を重視した着せ替えパネルを装着した第１の筐体を示したものである。この着せ替えパネル１０４Ｄには、比較的大型の液晶ディスプレイ１９１が付属しており、その近傍にチャネルや音量を変更するための操作ボタン１９２が配置されている。音は、液晶ディスプレイ１９１自体を振動させることで出力されるようになっている。液晶ディスプレイ１９１は、ユーザの設定によって着信時に起動され、着信に関する情報を表示できるようになっている。第１のブルーツースモジュール１０７および着せ替えパネル１０４ＤのパネルＩＤを格納した不揮発性メモリ１２６Ｄは、液晶ディスプレイ１９１の裏側の面と図示しないフレキシブル基板（図５におけるフレキシブル基板１７０参照）の間に挟持されるように配置されている。
【００４３】
このテレビジョン機能と併せて、あるいは独立してラジオ受信機としての機能を着せ替えパネル１０４によって実現できることは当然である。この他、大画面の液晶ディスプレイ１９１を利用してＧＰＳ（Global Positioning System）によるナビゲーション機能を持った着せ替えパネル１０４を実現させたり、電子手帳や、手書き文字の認識機能を備えた着せ替えパネル１０４を実現させることも可能である。このように着せ替えパネル１０４を各種備えると共に規格化を行えば、各社の携帯電話機にユーザの必要な機能を追加的に実現させることができる。
【００４４】
図１０は、本実施例の携帯電話機の着せ替えパネルの装着に対する制御の様子を表わしたものである。図３に示した制御部１４１内のＣＰＵは、メモリ１４２内の図４に示した基本制御プログラム格納領域１６１に格納された基本制御プログラムを起動しており、ユーザがたとえば図３に示した着せ替えパネル１０４Ａを図１に示す第１の筐体１０１の嵌合部１０５に装着したとする。すると、第１のブルーツースモジュール１０７に電池１１７による電源が供給されて不揮発性メモリ１２６Ａに格納されたパネルＩＤが着せ替えパネル１０４Ａ（図２参照）内のアンテナ１５６から発信される。このパネルＩＤは携帯電話機本体１３１内のアンテナ１５５で受信され、第２のブルーツースモジュール１０８から制御部１４１に渡される。このようにして携帯電話機１００は、その電源が投入されたとき、あるいはいずれかの着せ替えパネルを新たに装着したとき、その着せ替えパネルのパネルＩＤを制御部が判別することになる（ステップＳ２０１）。
【００４５】
制御部１４１はパネルＩＤを判別すると（ステップＳ２０１：Ｙ）、このパネルＩＤに対応するジャバ（ＪＡＶＡ（登録商標））アプリケーション（以下、付加制御プログラムという。）がメモリ１４２内の図４に示した付加制御プログラム格納領域１６２に格納されているかどうかをチェックする（ステップＳ２０２）。そして、格納されていると判別された場合には（Ｙ）、その付加制御プログラムを起動する（ステップＳ２０３）。これにより、携帯電話機本体１３１とこれに装着した着せ替えパネル１０４に対する各種の処理が実行される状態となる（ステップＳ２０４）。前記した例では基本制御プログラム格納領域１６１に格納された基本制御プログラムと共に、着せ替えパネル１０４Ａ用の付加制御プログラムが動作することで、一般的な制御と共に、着信制御に特化した制御が可能な状態になる。
【００４６】
一方、ステップＳ２０２で、図４の付加制御プログラム格納領域１６２に対応する制御プログラムが格納されていないことが判別された場合には（Ｎ）、ネットワーク１４３のたとえば各種の着せ替えパネルについての付加制御プログラムの配布を担当しているサーバ（図示せず）から該当するパネルＩＤに対応する付加制御プログラムを取得して作業領域１６３に格納する（ステップＳ２０５）。そして、その付加制御プログラムを付加制御プログラム格納領域１６２に格納が可能であるかどうかをチェックする（ステップＳ２０６）。付加制御プログラム格納領域１６２が未使用であったり、今回ダウンロードしたその付加制御プログラムを格納する空き容量がある場合には（Ｙ）、これを付加制御プログラム格納領域１６２に移動させる（ステップＳ２０７）。そして、ステップＳ２０３以降の処理に進むことになる。
【００４７】
これに対して、ダウンロードしたその付加制御プログラムを格納する空き容量が付加制御プログラム格納領域１６２に存在しなかった場合には（ステップＳ２０６：Ｎ）、付加制御プログラム格納領域１６２にすでに格納されている付加制御プログラムの整理を行う処理が実行される（ステップＳ２０８）。この処理は、たとえば付加制御プログラム格納領域１６２にすでに格納されている幾つかの着せ替えパネル１０４をメインディスプレイ１４６にこれらの容量と共に示して、いずれを消去してよいかをユーザに選択させることによって行われる。すでに説明したように、ユーザは外部メモリを増設することで付加制御プログラム格納領域１６２を拡張することができ、これによってすでにダウンロードした付加制御プログラムを並存させることができる。付加制御プログラム格納領域１６２に幾つもの付加制御プログラムを格納しておくことで、ユーザは着せ替えパネルの交換のたびに付加制御プログラムをダウンロードする手間と時間を省くことができる。
【００４８】
図１１は、図２に示した着信機能を重視する着せ替えパネルを携帯電話機に装着した場合の初期設定の様子を表わしたものである。図３に示した制御部１４１は、メインディスプレイ１４６を使用して、着信ＬＥＤ１２２〜１２５の点灯制御の態様と、背面液晶ディスプレイ１２１に待ち受け時および着信時に表示するそれぞれの画像Ａ、Ｂをユーザに選択させて初期設定を行う（ステップＳ２２１）。ユーザが選択を行わないときには、予め用意したデフォルト値が設定される。ここで、たとえば着信ＬＥＤ１２２〜１２５の点灯制御の態様とは、全部の着信ＬＥＤ１２２〜１２５を順次、サイクリックに点滅させるとか、着信の相手に応じて着信ＬＥＤ１２２〜１２５の中で点灯させるものを指定するような各種キー点灯の態様をいう。設定が終了したら、第２のブルーツースモジュール１０８から第１のブルーツースモジュール１０７にその内容が送信される（ステップＳ２２２）。
【００４９】
図１２は、図２に示した着信機能を重視する着せ替えパネル側の制御の様子を表わしたものである。着せ替えパネル１０４Ａ内の第１のブルーツースモジュール１０７は、第２のブルーツースモジュール１０８から設定内容が送られてくるか（ステップＳ２４１）、着信状態になったか（ステップＳ２４２）あるいは待ち受け状態になったか（ステップＳ２４３）をチェックしている。設定内容の受信があった場合には（ステップＳ２４１：Ｙ）、不揮発性メモリ１２６Ａに第２のブルーツースモジュール１０８から送られてきた点灯データと画像Ａおよび画像Ｂを受信して、これらを不揮発性メモリ１２６Ａに格納する（ステップＳ２４４）。
【００５０】
次に、第１のブルーツースモジュール１０７はその携帯電話機１００が通信（通話あるいは電子メール等の受信処理）の待ち受け状態であるかどうかをチェックする（ステップＳ２４３）。現在が待ち受け状態であれば（Ｙ）、不揮発性メモリ１２６Ａに格納された待ち受け用の画像Ａを背面液晶ディスプレイ１２１に送ってその表示を行わせる（ステップＳ２４５）。この後は、ステップＳ２４１〜ステップＳ２４３の監視が行われる。この状態である時点で着信が発生すると（ステップＳ２４２：Ｙ）、第１のブルーツースモジュール１０７は不揮発性メモリ１２６Ａから着信用の画像Ｂを読み出して背面液晶ディスプレイ１２１に送り、画像Ａに代わって画像Ｂを表示させる（ステップＳ２４６）。そして続いて不揮発性メモリ１２６Ａに格納された点灯データを読み出して、その内容に従って着信ＬＥＤ１２２〜１２５の点灯制御を開始させる（ステップＳ２４７）。背面液晶ディスプレイ１２１の着信表示（ステップＳ２４６）および着信ＬＥＤ１２２〜１２５の点灯制御（ステップＳ２４７）は、着信による通信が終了するまで行われる（ステップＳ２４８：Ｎ）。この通信が終了すると（ステップＳ２４８：Ｙ）、再びステップＳ２４１〜ステップＳ２４３の監視が行われることになる（リターン）。したがって、たとえばユーザがある時点で画像Ａあるいは画像Ｂを新しい内容に変更したとすると、その時点で着せ替えパネル１０４Ａ側に設定内容が送信され、不揮発性メモリ１２６Ａの内容が更新されることになる。
【００５１】
図１３は、図７に示したセキュリティ機能および電子マネーの活用を重視した着せ替えパネルを携帯電話機に装着した場合の初期設定の様子を表わしたものである。なお、図６に示した着信機能を重視する他の着せ替えパネル１０４Ｂについては、本実施例で着せ替えパネル１０４ＡとパネルＩＤは異なるものの、これらの制御はまったく同一としている。そこで、着せ替えパネル１０４Ｂを携帯電話機１００に装着した場合の初期設定の様子および着せ替えパネル１０４Ｂ側の制御の様子の説明は行わない。
【００５２】
図７に示した着せ替えパネル１０４Ｃの場合にも、ユーザの指示によって図８に示した制御部１４１が初期設定の処理を行う（ステップＳ２６１）。具体的には、指紋認証部１８１は指紋の認証を可能にするために図７に示した指紋認証部１８１にユーザの指をセットさせて指紋のパターンの読み取りを行う。読み取られた指紋のパターンは、メモリ１４２に照合用のデータとして格納される。また、ＲＦＩＤ部１８５については、第三者の不正使用の機会を軽減するために１つの決済に使用する金額の上限を予め設定したり、用途（たとえば缶ジュースの自動販売機や交通機関の乗車料金に限定）や利用時間（たとえば朝８時から夜１０時までに限定）等の設定を行うことができる。セキュリティを図るために決済時にカメラ部１８２を同時に作動させるかどうかの設定も行われる。このようにして初期設定が行われたら、第２のブルーツースモジュール１０８がそれらの内容を第１のブルーツースモジュール１０７に送信する（ステップＳ２６２）。なお、このような処理を行う制御プログラムあるいは付加制御プログラムは、着せ替えパネル１０４Ｃを携帯電話機本体１３１と接続した時点でネットワーク１４３側から送られてきて、図４に示す付加制御プログラム格納領域１６２に格納される。
【００５３】
図１４は、図７に示したセキュリティ機能および電子マネーの活用を重視した着せ替えパネル側の制御の様子を表わしたものである。着せ替えパネル１０４Ｃの第１のブルーツースモジュール１０７は、図３で説明した設定内容が図８の携帯電話機本体１３１から送られてきたら（ステップＳ２８１：Ｙ）、これを不揮発性メモリ１２６Ｃに格納して（ステップＳ２８２）、以後の指紋認証やＲＦＩＤの動作における着せ替えパネル１０４Ｃ側の表示等の処理に備えることになる（リターン）。
【００５４】
また、携帯電話機本体１３１から指紋認証の要求が送られてきた場合には（ステップＳ２８３：Ｙ）、不揮発性メモリ１２６Ｃから読み出した指紋認証用の作業の指示を背面液晶ディスプレイ１２１に表示して（ステップＳ２８４）、ユーザが指を図７の指紋認証部１８１にセットしてリセット・スタートキー１８４を押すことを指示する。リセット・スタートキー１８４が押されると（ステップＳ２８５：Ｙ）、指紋のパターンの読み取りが行われ（ステップＳ２８６）、指紋パターンを第１のブルーツースモジュール１０７から第２のブルーツースモジュール１０８に送出する（ステップＳ２８７）。そして、携帯電話機本体１３１側に格納されている登録されたユーザの指紋パターンとの照合結果を待機する（ステップＳ２８８）。
【００５５】
この結果、認証結果として指紋パターンが一致した場合（ＯＫ）には（ステップＳ２８９：Ｙ）、背面液晶ディスプレイ１２１に認証成功を表示する（ステップＳ２９０）。指紋パターンが一致しなかった場合には（ステップＳ２８９：Ｎ）、背面液晶ディスプレイ１２１に認証の失敗を表示することになる（ステップＳ２９１）。認証が失敗した場合、再度の指紋認証要求が携帯電話機本体１３１から送られてくれば（ステップＳ２８３：Ｙ）、前記した処理が再度繰り返されることになる。
【００５６】
着せ替えパネル１０４ＣはＲＦＩＤの要求が受信されたかについても待機している（ステップＳ２９２）。たとえば高額の商品を携帯電話機１００で購入するような場合、指紋認証を前提として無線で決済を行う場合が多い。このような場合には、先に説明した指紋認証が成功した次の時点で決済のためのＲＦＩＤの要求が受信されることになる。自動販売機で缶ジュースを購入するような比較的低額の決済の場合には、ユーザが携帯電話機本体１３１を電子決済モードに設定すると、直ちにＲＦＩＤの要求が着せ替えパネル１０４Ｃ側で受信され（Ｙ）、通信が開始される旨の表示が背面液晶ディスプレイ１２１に表示される（ステップＳ２９３）。この場合、ＲＦＩＤ部１８５は相手側の機器との通信をこの時点でトライしている。そして、第１のブルーツースモジュール１０７と第２のブルーツースモジュール１０８を経由して、ＲＦＩＤ部１８５と制御部１４１との間で通信が開始されることになる（ステップＳ２９４）。この結果、たとえばユーザが電車に乗る場合、携帯電話機本体１３１を電子決済モードに設定しておけばＲＦＩＤ部１８５が動作中となって、改札口を通過するときに通信が開始され、所定の乗車料金が引き落とされることになる。
【００５７】
ＲＦＩＤ部１８５を用いて相手側の機器と制御部１４１が決済のための通信を完了させると（ステップＳ２９５：Ｙ）、通信結果が背面液晶ディスプレイ１２１に表示される（ステップＳ２９６）。これにより、ユーザは引き落とされた金額や携帯電話機１００で決済できる残りの金額を確認することができる。このような背面液晶ディスプレイ１２１に表示されるデータは、一連の通信の最後の段階で第２のブルーツースモジュール１０８から第１のブルーツースモジュール１０７に送られてくることになる。
【００５８】
図１５は、図９に示したテレビジョン機能を重視した着せ替えパネルを携帯電話機に装着した場合の初期設定の様子を表わしたものである。ユーザが携帯電話機１００をテレビジョンの初期設定のモードを選択して、メインディスプレイ１４６（図３参照）に指示された内容に従って、テレビジョンを受信する地区の指定や、主音声を聞くか副音声を聞くか等の各種設定を行うと（ステップＳ３０１）、その設定内容が第２のブルーツースモジュール１０８から第１のブルーツースモジュール１０７に送信される（ステップＳ３０２）。
【００５９】
着せ替えパネル１０４Ｄ側では、この設定内容を不揮発性メモリ１２６Ｄに格納し、これを基にしてユーザがテレビジョンを視聴する。操作ボタン１９２の操作による着せ替えパネル１０４Ｄ側の制御については、市販のテレビジョンと基本的に同一なので、その説明は省略する。
【００６０】
このように本実施例によれば、着せ替えパネル１０４が嵌合部１０５の電極１１３〜１１６を介してと携帯電話機本体１３１から電源の供給を受けるようにしているので、着せ替えパネル１０４を携帯電話機本体１３１から分離して使用することができない。このため、携帯電話機１００で電子的な認証を行ったり決済を行うときのセキュリティを高めることができる。また、実施例で示したようにユーザは携帯電話機の用途に応じて着せ替えパネル１０４を選択して使用することができるので、それぞれの機能に特化した扱いの容易な携帯電話機を実現することができる。
【００６１】
＜発明の変形例＞
【００６２】
図１６は、本発明の変形例としてセキュリティを高めた通信システムを表わしたものである。この通信システム４００では、着せ替えパネル１０４Ｃを装着した携帯電話機１００が携帯電話網４０１を介してインターネット４０２と接続するようになっている。インターネット４０２には、カメラ画像蓄積サーバ４０３と、このカメラ画像蓄積サーバ４０３に蓄積された画像を閲覧したり削除等の管理を行うパーソナルコンピュータ４０４が接続されている。図７に示したように着せ替えパネル１０４Ｃには指紋認証部１８１とＲＦＩＤ部１８５の他にカメラ部１８２が配置されている。そこでこの変形例では、必要なタイミングでカメラ部１８２によって操作者の撮影を行い、これを順次、カメラ画像蓄積サーバ４０３に蓄積するようにすることで、他人のなりすましによる携帯電話機１００の不正使用が発生したり、盗難が発生した場合の対策を採れるようにしている。
【００６３】
図１７は、この変形例の携帯電話機で指紋認証部やＲＦＩＤ部が作動した場合の防犯処理の流れを表わしたものである。この場合、図８に示したメモリ１４２の付加制御プログラム格納領域１６２には、この防犯処理の制御のためのプログラムも着せ替えパネル１０４Ｃの装着の際に格納されることになる。制御部１４１は指紋認証部１８１の制御の下でリセット・スタートキー１８４が押されるのを監視している（ステップＳ５０１）。リセット・スタートキー１８４が押されると（Ｙ）、ユーザが初期設定でこのような場合にカメラ部１８２による撮影を行うことを指示しているかどうかをチェックする（ステップＳ５０２）。そして、ユーザの指示があった場合には（Ｙ）、撮影を行う（ステップＳ５０３）。
【００６４】
同様に、制御部１４１はＲＦＩＤ部１８５が決済のために作動しているかを監視しており（ステップＳ５０４）、その作動が開始すると（Ｙ）、ユーザが初期設定でこのような場合にカメラ部１８２による撮影を行うことを指示しているかどうかをチェックする（ステップＳ５０５）。そして、ユーザの指示があった場合には（Ｙ）、撮影を行う（ステップＳ５０３）。ステップＳ５０２およびステップＳ５０５でカメラ部１８２による撮影を禁止している場合には（Ｎ）、そのまま処理を終了する（エンド）。
【００６５】
一方、ステップＳ５０３でカメラ部１８２が写真を１枚または数枚、あるいは所定の時間だけ動画を撮影したら、その画像（または動画）に撮影日時を添付して、図８に示した無線部１４５がこれをカメラ画像蓄積サーバ４０３に送信する（ステップＳ５０６）。このようにして、カメラ画像蓄積サーバ４０３には、各ユーザの携帯電話機単位に画像（または動画）が順次蓄積されていくことになる。
【００６６】
このようにして蓄積された画像（または動画）は、防犯上の問題が発生したときに、ユーザが自身の携帯電話機１００を使用して、あるいはパーソナルコンピュータ４０４等の端末を使用してカメラ画像蓄積サーバ４０３を閲覧することで、その問題の解決を図ることができる。もちろん、その場合にはユーザがカメラ画像蓄積サーバ４０３に登録したパスワード等の認証データを使用して正当権利者であることを証明してアクセスを行うことになる。携帯電話機１００以外の携帯端末を使用できることにしたのは、携帯電話機１００が盗難されたときも蓄積された画像（または動画）にアクセス可能にするためである。カメラ画像蓄積サーバ４０３に蓄積されたデータは、所定の日数が経過した時点で自動的に消去されてもよいし、ユーザがカメラ画像蓄積サーバ４０３にアクセスして消去を行うようにしてもよい。
【００６７】
以上説明した変形例では、撮影した画像をその都度、インターネット上の蓄積手段に格納しておける。したがって、携帯電話機自体が大容量のメモリを備える必要がない。また携帯電話機を紛失したような場合でも、撮影した画像自体は紛失しないという利点がある。
【００６８】
なお、実施例および変形例では携帯電話機を例に挙げて説明したが、携帯型の携帯端末としての携帯端末であれば本発明を同様に適用可能である。また、実施例では携帯電話機本体１３１から着せ替えパネル１０４への電源の供給を嵌合部１０５に設けた電極１１３〜１１６を利用して行うことにしたが、電源の供給形態はこれに限るものではない。また、電極を使用せず、たとえば携帯電話機本体１３１から着せ替えパネル１０４に電磁誘導によって電源を供給することも可能である。
【００６９】
更に実施例では携帯電話機本体１３１から着せ替えパネル１０４の通信にブルーツースを使用したが、赤外線通信等の他の無線通信を使用することも可能である。
【図面の簡単な説明】
【００７０】
【図１】本発明の一実施例における携帯端末としての折畳型の携帯電話機を側面から見た側面図である。
【図２】着信機能を重視する着せ替えパネルを装着した第１の筐体の平面図である。
【図３】図２に示した着せ替えパネルを装着した携帯電話機とネットワークの接続の様子を表わした概略構成図である。
【図４】本実施例の携帯電話機本体におけるメモリの配置構造を表わした説明図である。
【図５】図２に示した着せ替えパネルのＡ−Ａ断面図である。
【図６】着信機能を重視する他の着せ替えパネルを装着した第１の筐体の平面図である。
【図７】セキュリティ機能および電子マネーの活用を重視した着せ替えパネルを装着した第１の筐体を示した平面図である。
【図８】図７に示した着せ替えパネルを装着した携帯電話機とネットワークの接続の様子を表わした概略構成図である。
【図９】テレビジョン機能を重視した着せ替えパネルを装着した第１の筐体を示した平面図である。
【図１０】本実施例の携帯電話機の着せ替えパネルの装着に対する制御の様子を表わした流れ図である。
【図１１】図２に示した着せ替えパネルを携帯電話機に装着した場合の初期設定の様子を表わした流れ図である。
【図１２】図２に示した着せ替えパネル側の制御の様子を表わした流れ図である。
【図１３】図７に示した着せ替えパネルを携帯電話機に装着した場合の初期設定の様子を表わした流れ図である。
【図１４】図７に示した着せ替えパネル側の制御の様子を表わした流れ図である。
【図１５】図９に示した着せ替えパネルを携帯電話機に装着した場合の初期設定の様子を表わした流れ図である。
【図１６】本発明の変形例としてセキュリティを高めた通信システムを表わしたシステム構成図である。
【図１７】変形例の携帯電話機で指紋認証部やＲＦＩＤ部が作動した場合の防犯処理の流れを表わした流れ図である。
【符号の説明】
【００７１】
１００  携帯電話機
１０１  第１の筐体
１０２  第２の筐体
１０４Ａ、１０４Ｂ、１０４Ｃ、１０４Ｄ  着せ替えパネル
１０５  嵌合部
１０７  第１のブルーツースモジュール
１０８  第２のブルーツースモジュール
１１１  凸部部材
１１２  凹部
１１３〜１１６  電極
１１７  電池
１２１  背面液晶ディスプレイ
１２２〜１２５  着信ＬＥＤ（発光ダイオード）
１２６Ａ、１２６Ｂ、１２６Ｃ、１２６Ｄ  不揮発性メモリ（ＮＶＭ）
１３１  携帯電話機本体
１４１  制御部
１４２  メモリ
１４３  ネットワーク
１４６  メインディスプレイ
１８１  指紋認証部
１８４  リセット・スタートキー
１８５  ＲＦＩＤ部
１９１  液晶ディスプレイ
１９２  操作ボタン
４０１  携帯電話網
４０２  インターネット
【図１】
2007088735.tif 000003
【図２】
2007088735.tif 000004
【図３】
2007088735.tif 000005
【図４】
2007088735.tif 000006
【図５】
2007088735.tif 000007
【図６】
2007088735.tif 000008
【図７】
2007088735.tif 000009
【図８】
2007088735.tif 000010
【図９】
2007088735.tif 000011
【図１０】
2007088735.tif 000012
【図１１】
2007088735.tif 000013
【図１２】
2007088735.tif 000014
【図１３】
2007088735.tif 000015
【図１４】
2007088735.tif 000016
【図１５】
2007088735.tif 000017
【図１６】
2007088735.tif 000018
【図１７】
2007088735.tif 000019